(57)【要約】【課題】お試し記録モードにおいて、レーベル面に記録する画像が抽出される元画像データ上に、複数のレーベル記録範囲枠を合成した合成画像を用紙に記録する。これにより、複数の印刷範囲を確認できると共に着色剤の使用量も抑えることができる画像記録装置を提供すること。【解決手段】お試し記録モードにおいて、元画像データＧＧと複数のレーベル枠画像データＷＧ３とが合成され（Ｓ３０）、レーベルお試し記録として用紙Ｐに記録される（Ｓ３５）。このため、１度のお試し記録で複数の印刷範囲を確認できると共に着色剤の使用量も抑えることができる。【選択図】図６
2010288124.tif 000002
【特許請求の範囲】
【請求項１】
記録ディスクのレーベル面に記録する画像を記録用紙に試し記録を行う試し記録機能を備えた画像記録装置において、
前記レーベル面に記録する画像が抽出される元画像データを記憶する第１記憶部と、
前記レーベル面に記録する画像の範囲を示すレーベル枠画像データを記憶する第２記憶部と、
前記試し記録機能が選択された場合に、
前記第１記憶部に記憶されている元画像データ上に、前記第２記憶部に記憶されている複数の前記レーベル枠画像データを合成する合成部と、
前記合成部によって合成された合成画像データを記録用紙に記録する画像記録部と、
を備えたことを特徴とする画像記録装置。
【請求項２】
前記合成部は、前記元画像データ上に、同じ中心位置を有し、且つ同形状で異なる大きさの複数の前記レーベル枠画像データを合成することを特徴とする請求項１に記載の画像記録装置。
【請求項３】
前記合成部は、前記元画像データ上に、同じ大きさを有し、且つ同形状で異なる中心位置の複数の前記レーベル枠画像データを合成することを特徴とする請求項１に記載の画像記録装置。
【請求項４】
前記第１記憶部に記憶されている前記元画像データと、前記元画像データ上に前記第２記憶部に記憶されている前記レーベル枠画像データとを表示する表示部と、
前記表示部に表示された前記元画像データ上の前記レーベル枠画像データのサイズを決定するサイズ決定部、
前記表示部に表示された前記元画像データ上の前記レーベル枠画像データの位置を決定する位置決定部と、を備え、
前記合成部は、前記サイズ決定部及び前記位置決定部によって決定された前記レーベル枠画像データを基準として、元画像データ上に前記複数のレーベル枠画像データを合成することを特徴とする請求項１乃至３のいずれかに記載の画像記録装置。
【請求項５】
前記合成部は、前記複数のレーベル枠画像データの其々に対応した番号を前記元画像データ上に合成することを特徴とする請求項１乃至４のいずれかに記載の画像形成装置。
【請求項６】
前記合成部は、前記サイズ決定部及び前記位置決定部によって決定された前記レーベル枠画像データの枠の種類と、その他の前記複数のレーベル枠画像データの枠の種類とを異ならせて合成することを特徴とする請求項４または５に記載の画像記録装置。
【請求項７】
前記合成部は、前記複数のレーベル枠画像データの其々を異なる色で合成することを特徴とする請求項１乃至６のいずれかに記載の画像形成装置。
【請求項８】
前記画像記録部は、前記合成画像データを記録用紙上にドラフト印刷にて記録することを特徴とする請求項１乃至６のいずれかに記載の画像記録装置。
【請求項９】
前記記録ディスクを載置する載置部と、
前記載置部に載置された前記記録ディスクのレーベル面に、前記画像記録部によって画像を記録するレーベル記録機能と、
前記試し記録機能によって記録用紙上に記録された前記合成画像データの前記番号を入力する番号入力部と、
を備え、
前記レーベル記録機能が選択された場合に、
前記画像記録部は、前記番号入力部によって入力された前記番号に対応する前記レーベル枠画像データの範囲内の前記元画像データを前記載置部に載置された前記記録ディスクのレーベル面に記録することを特徴とする請求項５に記載の画像記録装置。
【請求項１０】
記録用紙に画像を記録可能な記録装置と通信可能なコンピュータに、前記記録装置に記録ディスクのレーベル面に記録させる画像を記録用紙に試し記録させるための試し記録用データを作成する試し記録ステップを実行させるための画像記録プログラムにおいて、
前記レーベル面に記録する画像が抽出される元画像データを第１記憶手段に記憶する第１記憶ステップと、
前記レーベル面に記録する画像の範囲を示すレーベル枠画像データを第２記憶手段に記憶する第２記憶ステップと、
前記試し記録ステップが実行された場合に、
前記第１記憶ステップにおいて記憶された元画像データ上に、前記第２記憶ステップにおいて記憶された複数の前記レーベル枠画像データを合成する合成ステップと、
前記合成ステップによって合成された合成画像データを前記記録装置に記録用紙に記録させる指示データを送信する記録指示ステップと、
を前記コンピュータに実行させるための画像記録プログラム。
【発明の詳細な説明】
【技術分野】
【０００１】
本発明は、画像記録装置及び画像記録プログラムに関するものであり、より詳しくは、ＣＤ（Ｃｏｍｐａｃｔ  Ｄｉｓｃ）等の記録媒体のレーベル面（被記録面）に記録する画像を、用紙に記録して画像確認等を行うお試し記録モードを備えた画像記録装置及び画像記録プログラムに関する。
【背景技術】
【０００２】
従来より、例えば、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、等の円形状に形成された記録媒体をトレイに載置し、その記録媒体のレーベル面に画像を記録可能な画像記録装置が知られている。
【０００３】
この種の画像記録装置には、実際に記録したいＣＤ等のレーベル面に画像を記録する前に、用紙に画像を記録することで、ＣＤ等のレーベル面に対する画像の位置や画像の色、濃度等を確認するお試し記録モードという機能を備えているものがある。
【０００４】
また、特許文献１には、ユーザが指定した画像データの色彩等を確認するお試し記録モードにおいて、ユーザが指定した画像と、その指定された画像とは色彩等がそれぞれ異なる複数の画像とを１枚の用紙に記録することで、一度に複数の画像を確認することができることが記載されている。
【先行技術文献】
【特許文献】
【０００５】
【特許文献１】特開２００２−１１２０５７号公報
【発明の概要】
【発明が解決しようとする課題】
【０００６】
ＣＤ等のレーベル面に記録するレーベル画像の位置、色、濃度等を確認するお試し記録モードにおいても、複数のレーベル画像の位置、色、濃度等を確認したい場合は、１枚の用紙に複数のお試し画像を記録する。
【０００７】
しかしながら、上述した特許文献１に記載されている画像記録装置において、お試し記録モードで用紙に複数の画像を記録した場合、複数の画像の確認は行えるものの、複数の画像を記録しているためインク消費量が多くなってしまう。また、この記録方法では、１枚の用紙に記録できるお試し画像の数にも限りがあり、より多くのお試し画像を記録しようとすると其々のお試し画像を縮小して記録しなければならず、画像の確認がし難くなってしまう。ＣＤ等のレーベル面に記録するレーベル画像のお試し記録モードにおいても同様の問題が発生する。
【０００８】
本発明は、上述した問題を解決するためになされたものであり、お試し記録モードにおいて、レーベル面に記録する画像が抽出される元画像データ上に、複数のレーベル枠画像データを合成した合成画像を用紙に記録することにより、複数の印刷範囲を確認できると共に着色剤の使用量も抑えることができる画像記録装置を提供することを目的としている。
【課題を解決するための手段】
【０００９】
この目的を達成するために、請求項１に記載の画像記録装置は、記録ディスクのレーベル面に記録する画像を記録用紙に試し記録を行う試し記録機能を備えた画像記録装置において、前記レーベル面に記録する画像が抽出される元画像データを記憶する第１記憶部と、前記レーベル面に記録する画像の範囲を示すレーベル枠画像データを記憶する第２記憶部と、前記試し記録機能が選択された場合に、前記第１記憶部に記憶されている元画像データ上に、前記第２記憶部に記憶されている複数の前記レーベル枠画像データを合成する合成部と、前記合成部によって合成された合成画像データを記録用紙に記録する画像記録部と、を備えたものである。
【００１０】
請求項２に記載の画像記録装置は、請求項１に記載の画像記録装置において、前記合成部は、前記元画像データ上に、同じ中心位置を有し、且つ同形状で異なる大きさの複数の前記レーベル枠画像データを合成することを特徴とするものである。
【００１１】
請求項３に記載の画像記録装置は、請求項１に記載の画像記録装置において、前記合成部は、前記元画像データ上に、同じ大きさを有し、且つ同形状で異なる中心位置の複数の前記レーベル枠画像データを合成することを特徴とするものである。
【００１２】
請求項４に記載の画像記録装置は、請求項１乃至３のいずれかに記載の画像記録装置において、前記第１記憶部に記憶されている前記元画像データと、前記元画像データ上に前記第２記憶部に記憶されている前記レーベル枠画像データとを表示する表示部と、前記表示部に表示された前記元画像データ上の前記レーベル枠画像データのサイズを決定するサイズ決定部、前記表示部に表示された前記元画像データ上の前記レーベル枠画像データの位置を決定する位置決定部と、を備え、前記合成部は、前記サイズ決定部及び前記位置決定部によって決定された前記レーベル枠画像データを基準として、元画像データ上に前記複数のレーベル枠画像データを合成することを特徴とするものである。
【００１３】
請求項５に記載の画像記録装置は、請求項１乃至４のいずれかに記載の画像記録装置において、前記合成部は、前記複数のレーベル枠画像データの其々に対応した番号を前記元画像データ上に合成することを特徴とするものである。
【００１４】
請求項６に記載の画像記録装置は、請求項４または５に記載の画像記録装置において、前記合成部は、前記サイズ決定部及び前記位置決定部によって決定された前記レーベル枠画像データの枠の種類と、その他の前記複数のレーベル枠画像データの枠の種類とを異ならせて合成することを特徴とするものである。
【００１５】
請求項７に記載の画像記録装置は、請求項１乃至６のいずれかに記載の画像記録装置において、前記合成部は、前記複数のレーベル枠画像データの其々を異なる色で合成することを特徴とするものである。
【００１６】
請求項８に記載の画像記録装置は、請求項１乃至６のいずれかに記載の画像記録装置において、前記画像記録部は、前記合成画像データを記録用紙上にドラフト印刷にて記録することを特徴とするものである。
【００１７】
請求項９に記載の画像記録装置は、請求項５に記載の画像記録装置において、前記記録ディスクを載置する載置部と、前記載置部に載置された前記記録ディスクのレーベル面に、前記画像記録部によって画像を記録するレーベル記録機能と、前記試し記録機能によって記録用紙上に記録された前記合成画像データの前記番号を入力する番号入力部と、を備え、前記レーベル記録機能が選択された場合に、前記画像記録部は、前記番号入力部によって入力された前記番号に対応する前記レーベル枠画像データの範囲内の前記元画像データを前記載置部に載置された前記記録ディスクのレーベル面に記録することを特徴とするものである。
【００１８】
請求項１０に記載の画像記録プログラムは、記録用紙に画像を記録可能な記録装置と通信可能なコンピュータに、前記記録装置に記録ディスクのレーベル面に記録させる画像を記録用紙に試し記録させるための試し記録用データを作成する試し記録ステップを実行させるための画像記録プログラムにおいて、前記レーベル面に記録する画像が抽出される元画像データを第１記憶手段に記憶する第１記憶ステップと、前記レーベル面に記録する画像の範囲を示すレーベル枠画像データを第２記憶手段に記憶する第２記憶ステップと、前記試し記録ステップが実行された場合に、前記第１記憶ステップにおいて記憶された元画像データ上に、前記第２記憶ステップにおいて記憶された複数の前記レーベル枠画像データを合成する合成ステップと、前記合成ステップによって合成された合成画像データを前記記録装置に記録用紙に記録させる指示データを送信する記録指示ステップと、を前記コンピュータに実行させること特徴とするものである。
【発明の効果】
【００１９】
請求項１に記載の発明によれば、試し記録機能において、元画像データ上に複数のレーベル枠画像データが合成された合成画像データが用紙に記録される。よって、１度の試し画像記録で複数の画像を確認できるとともに、複数のお試し画像を其々記録する場合よりも使用する着色剤の量を少なくすることができる。
【００２０】
請求項２に記載の発明によれば、請求項１に記載の画像記録装置の奏する効果に加え、同じ中心位置で、且つ同形状で異なる大きさの複数の画像記録範囲を確認することができる。
【００２１】
請求項３に記載の発明によれば、請求項１に記載の画像記録装置の奏する効果に加え、同じ大きさで、且つ同形状で異なる中心位置の複数の画像記録範囲を確認することができる。
【００２２】
請求項４に記載の発明によれば、請求項１乃至３のいずれかに記載の画像記録装置の奏する効果に加え、表示部で決定されたレーベル枠画像データを基準として、元画像データ上に複数のレーベル枠画像データを合成するので、ユーザが決定した範囲とそれに類似する範囲も確認することができる。
【００２３】
請求項５に記載の発明によれば、請求項１乃至４のいずれかに記載の画像記録装置の奏する効果に加え、複数のレーベル枠画像データの其々に対応した番号が元画像データ上に合成されるので、レーベル枠画像データが何個記録されているかが識別できる。
【００２４】
請求項６に記載の発明によれば、請求項４または５に記載の画像記録装置の奏する効果に加え、用紙に記録されるユーザによって決定されたレーベル枠画像データと、他の複数のレーベル枠画像データとの見分けが付く。
【００２５】
請求項７に記載の発明によれば、請求項１乃至６のいずれかに記載の画像記録装置の奏する効果に加え、用紙に記録される複数のレーベル枠画像データの見分けが付きやすい。
【００２６】
請求項８に記載の発明によれば、請求項１乃至６のいずれかに記載の画像記録装置の奏する効果に加え、試し記録機能において使用する着色剤の量を少なくすることができる。
【００２７】
請求項９に記載の発明によれば、請求項５に記載の画像記録装置の奏する効果に加え、用紙上の合成画像データに記録されている番号を装置に入力することで、その番号に対応するレーベル枠画像データの範囲を記録ディスクのレーベル面に記録することができるので、ユーザがレーベル記録の為に、記録用の画像を再設定する必要がないので使い勝手が良い。
【００２８】
請求項１０に記載の発明によれば、請求項１に記載の画像記録装置と同様の効果を奏することができる。
【図面の簡単な説明】
【００２９】
【図１】本発明の実施形態における画像記録装置の外観的構成を示した斜視図である。
【図２】本発明の実施形態におけるレーベル記録時の画像記録装置の外観的構成を示した斜視図である。
【図３】画像記録装置の電気的構成を示すブロック部である。
【図４】画像記録装置のメイン処理を示すフローチャートである。
【図５】画像記録装置の通常モード処理を示すフローチャートである。
【図６】画像記録装置の複数拡大・縮小モード処理を示すフローチャートである。
【図７】画像記録装置の複数位置ずらしモード処理を示すフローチャートである。
【図８】画像記録装置のレーベル記録処理を示すフローチャートである。
【図９】表示部４２に表示された元画像データＧＧを示す図である。
【図１０】表示部４２に表示された元画像データＧＧとレーベル枠画像データＷＧ１とを示す図である。
【図１１】レーベル画像データＲＧを概念的に示す図である。
【図１２】表示部４２に表示されたお試し記録モードの選択画面の一例を示した概略図である。
【図１３】合成画像データＭＧ１を概念的に示す図である。
【図１４】合成画像データＭＧ２を概念的に示す図である。
【図１５】（ａ）は、通常モードにおいて用紙Ｐに記録された内容を概念的に示す図であり、（ｂ）は、複数拡大・縮小モードにおいて用紙Ｐに記録された内容を概念的に示す図であり、（ｃ）は、複数位置ずらしモードにおいて用紙Ｐに記録された内容を概念的に示す図である。
【図１６】ＰＣ９０の電気的構成を示すブロック部である。
【発明を実施するための形態】
【００３０】
本発明を多機能型の画像記録装置に適用した実施形態について、添付資料を参照して以下に説明する。多機能型の画像記録装置は、プリンタ機能、スキャナ機能、及び、コピー機能等を備えており、公知なものである。
【００３１】
＜外観的構成＞
以下の説明において、図１の画像記録装置１０の手前側を前側とし、矢印左右で示す方向を左右方向（主走査方向）とし、矢印前後で示す方向を前後方向（副走査方向）とし、矢印上下で示す方向を上下方向とする。
【００３２】
図１に示すように、画像記録装置１０は、主に、下部に設けられるプリンタ部２０と、上部に設けられるスキャナ部３０と、正面上部に設けられる操作パネル部４０と、正面に設けられるスロット部５０とを備えている。
【００３３】
プリンタ部２０は、記録用紙Ｐに画像を記録するインクジェット方式のプリンタで構成されており、Ｃ（シアン）、Ｍ（マゼンダ）、Ｙ（イエロー）、Ｋ（ブラック）の４色のインク（着色剤）を使用して、カラー印刷を行うものである。尚、プリンタ部２０は、本発明の画像記録部の一例である。
【００３４】
プリンタ部２０の正面には、開口部２１が形成されている。この開口部２１に給紙トレイ２２及び排紙トレイ２３が上下２段に設けられている。給紙トレイ２２は、記録用紙を積載するためのものである。この給紙トレイ２２に積載された記録用紙は、プリンタ部２０の内部へ給送され、所望の画像が印刷された後に排紙トレイ２３へ排出されるようになっている。
【００３５】
スキャナ部３０は、フラットベッドタイプのスキャナである。原稿カバー３１は、画像形成装置１０の天板として設けられている。その原稿カバー３１の下には、図示しないプラテンガラスが配置されている。原稿を読み取る場合は、原稿カバー３１が上側に開かれ、原稿がプラテンガラス上に載置され、原稿カバー３１が閉じられることで、原稿の読み取り準備が完了する。そして、ユーザにより原稿の読み取りが指示されると、プラテンガラスの下側に設けられている図示しないイメージセンサにより原稿の画像が読み取られる。例えば、原稿に、記録ディスクのレーベル面に記録したい画像が記載されている場合には、この画像がスキャナ部３０によって読み取られる。
【００３６】
操作パネル部４０は、操作キー部４１とＬＣＤ等の表示部４２とで構成されている。操作キー部４１は、数字ボタンやスタートボタン、機能操作ボタン等の各種のボタンを備えている。表示部４２は、ユーザが実行する機能を指示するための機能選択画面を表示することができる。また、表示部４２は、操作手順や実行中の処理の状態を表示すると共に、操作キー部４１の押下に対応する情報を表示することができる。
【００３７】
ユーザは、操作パネル部４０を操作することで、各種機能の設定や動作を実行することができる。例えば、画像を記録する媒体の種類（記録用紙Ｐ又は記録ディスクＤ）及びサイズの設定や、片面印刷モードの設定、両面印刷モードの設定、お試し印刷モード等を、操作パネル部４０を介して指示することができる。
【００３８】
スロット部５０は、記憶媒体である各種小型メモリカードが装填され得るように構成されている。例えば、スロット部５０に小型メモリカードが装填された状態でユーザが操作パネル部４０の操作を行うことにより、小型メモリカードに記憶された画像データが読み出され、その読み出された画像データが表示部４２に表示されたり、記録用紙に印刷されることが可能となる。
【００３９】
また、画像記録装置１０は、記録ディスクＤのレーベル面に、インクジェット方式で画像を記録可能に構成されている。記録ディスクＤのレーベル面に画像を記録する場合には、図２に示すように、着脱式のディスクトレイＴＲに記録ディスクＤが載置された状態で、そのディスクトレイＴＲがユーザによって、開口部２１に副走査方向（前後方向）に挿入される。尚、記録ディスクＤとしては、例えば、Ｃｏｍｐａｃｔ  Ｄｉｓｋ（以下、「ＣＤ」と称す）や、Ｄｉｇｉｔａｌ  Ｖｅｒｓａｔｉｌｅ  Ｄｉｓｋ（以下、「ＤＶＤ」と称す）や、Ｂｌｕ−ｒａｙ  Ｄｉｓｋ（以下、「ＢＤ」と称す）などが該当する。この様な記録ディスクＤは、直径１２０ｍｍの円形型のディスクであり、中心部には回転駆動を行うための開口穴が設けられている。このディスクサイズが最も広く普及しているが、更に小さい直径８０ｍｍのサイズのものも流通している。
【００４０】
＜電気的構成＞
次に、図３を参照して、画像記録装置１０の電気的構成について説明する。図３は、画像記録装置１０の電気的構成を示すブロック図である。図３に示すように、画像記録装置１０は、ＣＰＵ８１、ＲＯＭ８２、ＲＡＭ８３、ＥＥＰＲＯＭ８７、プリンタ部２０、スキャナ部３０、操作パネル部４０、及び、スロット部５０を主に有している。
【００４１】
ＣＰＵ８１、ＲＯＭ８２、及び、ＲＡＭ８３は、バスライン８４を介して互いに接続されている。また、プリンタ部２０、スキャナ部３０、操作パネル部４０、及び、バスライン８４は、ＡＳＩＣ８５を介して互いに接続されている。
【００４２】
ＣＰＵ８１は、ＲＯＭ８２やＲＡＭ８３に記憶さている固定値やプログラムに従って、画像記録装置１０が有している各機能の制御や、入出力ポート８５と接続された各部を制御するものである。尚、ＣＰＵ８１は、本発明の制御部の一例である。
【００４３】
ＲＯＭ８２は、画像記録装置１０で実行される制御プログラムなどを格納した書換不能なメモリである。例えば、記録ディスクＤのレーベル面に記録する画像を用紙Ｐに記録して画像を確認するお試し記録モードを備えるメイン処理（図４）、お試し記録モードにおいて、用紙Ｐにレーベル画像データＲＧを記録する通常モード処理（図５）、お試し記録モードにおいて、用紙Ｐに元画像データＧＧと複数のレーベル枠画像データＷＧ３とを記録する複数拡大・縮小モード処理（図６）、お試し記録モードにおいて、用紙Ｐに元画像データＧＧと複数のレーベル枠画像データＷＧ５とを記録する複数位置ずらしモード処理（図７）、及び、記録ディスクＤのレーベル面にレーベル画像データを記録するレーベル記録処理（図８）は、このＲＯＭ８２に格納されている。
【００４４】
また、ＲＯＭ８２は、レーベル枠画像データメモリ８２ａが設けられている。レーベル枠画像データメモリ８２ａには、記録ディスクのサイズに合わせた円形のレーベル枠画像データが格納されており、例えば、後述する、レーベル枠画像データＷＧ１（図１０）や、レーベル枠画像データＷＧ２（図１３）が格納されている。このレーベル枠画像データは、記録ディスクの直径が１２０ｍｍの場合のものだが、レーベル枠画像データメモリ８２ａには、直径が８０ｍｍのものも格納されている。レーベル枠画像データメモリ８２ａは、本発明の第２記憶部の一例である。
【００４５】
また、ＲＯＭ８２は、番号画像データメモリ８２ｂが設けられている。番号画像データ８２ｂには、後述する、番号画像データＢ（図１３及び１４）が格納されている。
【００４６】
ＲＡＭ８３は、ＣＰＵ８１が各プログラムを実行する際に用いる各種データを一時的に記憶する記憶領域として、また作業領域として用いられる。またＲＡＭ８３には、元画像データメモリ８３ａ、レーベル画像データメモリ８３ｂ、合成画像データ８３ｃの各記憶領域が割り当てられている。
【００４７】
元画像データメモリ８３ａは、お試し記録において、用紙Ｐに記録するレーベル画像を抽出するための画像データを一時的に記憶する領域である。元画像データメモリ８３ａは、本発明の第１記憶部の一例である。レーベル画像データメモリ８３ｂは、記録ディスクＤのレーベル面に記録したい円形のレーベル画像データＲＧを一時的に記憶する領域である。合成画像データメモリ８３ｃは、お試し記録において、用紙Ｐに記録する合成画像データを一時的に記憶する領域である。
【００４８】
ＥＥＰＲＯＭ８７は、電源オフ後も保持すべき設定やフラグ等を格納する。例えば、スロット部５０から取り込まれた画像データを保存できる。これにより、一度取り込んだ画像データを繰り返し使用することができる。
【００４９】
ＡＳＩＣ８５は、ＣＰＵ８１からの指令に従い、接続されているプリンタ部２０等の周辺機器を制御するものである。
【００５０】
プリンタ部２０は、ＡＳＩＣ８５からの画像記録指令信号により、記録媒体（記録用紙Ｐ又は記録ディスクＤ）に画像を記録する。スキャナ部３０は、ＡＳＩＣ８５からの読取指令信号により、原稿の画像を読み取り、読み取った画像データをＡＳＩＣ８５に出力する。操作パネル部４０は、ＡＳＩＣ８５からの検知指令信号により、操作パネル部４０の操作キー部４１の操作状態を検知し、その検知された操作データをＡＳＩＣ８５に出力する。また、操作パネル部４０は、ＡＳＩＣ８５からの指示命令信号により、表示部４２に画像表示データを供給する。スロット部５０は、ＡＳＩＣ８５からの読出命令信号により、小型メモリカードに記憶された画像データを読み出し、その読み出された画像データをＡＳＩＣ８５に出力する。
【００５１】
＜実施形態の動作＞
次に、本実施形態の画像記録装置１０の動作について、図４乃至図１１を参照して説明する。
【００５２】
（メイン処理）
まず、図４を参照して、画像記録装置１０のＣＰＵ８１により実行されるメイン処理について説明する。このメイン処理は、ユーザによる操作パネル部４０の操作を介して、プリンタ機能、スキャナ機能、及び、コピー機能等の各種機能、プリント機能が選択された場合に実行される処理である。特に、メイン処理では、レーベルお試し記録モードにおいて、記録ディスクＤのレーベル面に記録する画像が抽出される元画像データ上に、レーベル面に記録する範囲を示すレーベル枠画像データを合成して、１枚の用紙Ｐに記録することで、複数の記録範囲を確認できると共に着色剤の使用量も抑えることができる処理を含んでいる。尚、本実施形態において、対象とされる記録ディスクＤのサイズは直径１２０ｍｍとする。
【００５３】
このメイン処理では、まず、レーベルお試し記録モードが選択されたかが判断される（ステップ１、以下ステップをＳと記す）。本実施形態では、ユーザによってプリント機能が選択されると、表示部４２には、通常記録モード、レーベル記録モード、レーベルお試し記録モード等のプリント種別を選択する要求が表示され、その中からレーベルお試し記録モードが選択されたかが判断される。レーベルお試し記録モードが選択されない場合には（Ｓ１：ＮＯ）、通常記録モード等の他の記録モードを実行し（Ｓ１６）、本メイン処理を終了する。
【００５４】
一方、レーベルお試し記録モードが選択されると（Ｓ１：ＹＥＳ）、記録ディスクＤのレーベル面に記録するレーベル画像として使用する元画像データの候補が表示部４２に表示される。（Ｓ２）。表示される元画像データとは、前述したように、小型メモリカードに格納されている画像や、スキャナ部３０で原稿から読み取られた画像や、ＥＥＰＲＯＭ８７に記憶されている画像である。尚、本実施形態においては、まず、ＥＥＰＲＯＭ８７に記憶されている画像が表示される。小型メモリカードの画像やスキャナ部３０でスキャンされた画像は、ユーザが小型メモリーガードからの取込みやスキャナ部３０からの取込みのモードを選択することで、表示部４２に表示される。
【００５５】
その表示部４２により表示されている元画像データの中からレーベル画像として使用する元画像データが選択されるまで待機し（Ｓ３：ＮＯ）、元画像データが選択されると（Ｓ３：ＹＥＳ）、その選択された元画像データが元画像データメモリ８３ａに記憶される（Ｓ４）。また、その選択された画像データは表示部４２に表示される（Ｓ５）。本実施形態においては、ステップＳ３において、図９に示す元画像データＧＧが選択され、表示部４２に表示される。
【００５６】
次に、表示部４２に表示されている元画像データＧＧに対して、図１０に示すように、表示部４２の元画像データＧＧ上に、レーベル枠画像データメモリ８２ａに記憶されている所定サイズのレーベル枠画像データＷＧ１が表示される（Ｓ６）。この元画像データＧＧ上のレーベル枠画像データＷＧ１が、ユーザによって操作キー部４１を介して操作され、元画像データＧＧ上の位置が決定されることにより、そのレーベル枠画像データＷＧ１の位置を、お試し記録を行う範囲の位置として決定する（Ｓ７）。本実施形態において、このレーベル枠画像データＷＧ１は、上述したように直径１２０ｍｍのレーベル枠画像データであり、操作キー部４１を操作することによって、元画像データＧＧ上で移動することができる。また、本実施形態では、図１０に示すレーベル枠画像データＷＧ１の位置とサイズでお試し記録範囲が決定される。
【００５７】
次に、図１２に示す、「通常モード」、「複数拡大・縮小モード」及び「複数位置ずらしモード」のレーベルお試し記録モードの選択画面を表示部４２に表示する（Ｓ８）。図１２に示すように、選択画面には、「通常モード」、「複数拡大・縮小モード」及び「複数位置ずらしモード」の選択項目が表示されており、操作キー部４１の操作によって１つの項目が選択できるように構成されている。
【００５８】
Ｓ８において、選択された項目が「通常モード」である場合には（Ｓ９：ＹＥＳ）、図５に示す、レーベルお試し記録モードにおいて、１つのレーベル画像データＲＧを用紙Ｐに記録する通常モード処理が実行される（Ｓ１０）。通常モード処理の詳細については、後述する。
【００５９】
また、Ｓ８において、選択された項目が「複数拡大・縮小モード」である場合には（Ｓ９：ＮＯ、Ｓ１１：ＹＥＳ）、図６に示す、レーベルお試し記録モードにおいて、元画像データＧＧと複数のレーベル枠画像データＷＧとを合成した合成画像データを用紙Ｐに記録する複数拡大・縮小モード処理が実行される（Ｓ１２）。複数拡大・縮小モード処理の詳細については、後述する。
【００６０】
また、Ｓ８において、選択された項目が「複数位置ずらしモード」である場合には（Ｓ９：ＮＯ、Ｓ１１：ＮＯ）、図７に示す、レーベルお試し記録モードにおいて、元画像データＧＧと複数のレーベル枠画像データＷＧとを合成した合成画像データを用紙Ｐに記録する複数位置ずらしモード処理が実行される（Ｓ１３）。複数位置ずらしモード処理の詳細については、後述する。
【００６１】
次に、通常モード処理、複数拡大・縮小モード処理及び複数位置ずらしモード処理のレーベルお試し記録モードにおいて、用紙Ｐに記録されたレーベル画像データまたはレーベル枠画像データＷＧ内の画像データを記録ディスクＤのレーベル面に記録するか否かが判断される（Ｓ１４）。レーベル記録を行うと判断されると（Ｓ１４：ＹＥＳ）、図８に示す、記録ディスクＤのレーベル面にレーベル画像データＲＧを記録するレーベル記録処理が実行され、（Ｓ１５）。メイン処理を終了する。レーベル記録を行わない判断されると（Ｓ１４：ＮＯ）、本メイン処理を終了する。レーベル記録モード処理の詳細については、後述する。
【００６２】
（通常モード処理）
画像記録装置１０の通常モード処理（図５のステップＳ１０）の詳細について、図５を参照して説明する。
【００６３】
この通常モード処理では、まず、図１０に示すように、ステップＳ７において、お試し記録を行う範囲の位置として決定されたレーベル枠画像データＷＧ１の内側に存在する元画像データ上の領域のトリミング処理が行われる（Ｓ２０）。ステップＳ２０におけるトリミング処理によって切り取られた範囲から、図１１に示す、レーベル画像データＲＧが生成される（Ｓ２１）。生成されたレーベル画像データＲＧがレーベル画像データメモリ８３ｂに記憶される（Ｓ２２）。レーベル画像データＲＧを表示部４２に表示し（Ｓ２３）、このレーベル画像データＲＧを記録するか否かを判断する（Ｓ２４）。「記録ＯＫ」でない場合には（Ｓ２４：ＮＯ）、ステップＳ７に戻り、「記録ＯＫ」の入力があった場合には（Ｓ２４：ＹＥＳ）、図１５（ａ）に示すように、用紙Ｐにこのレーベル画像データＲＧが記録される（Ｓ２５）。そして、通常モード処理を終了する。
【００６４】
（拡大・縮小モード処理）
画像記録装置１０の拡大・縮小モード処理（図５のステップＳ１２）の詳細について、図６を参照して説明する。
【００６５】
この拡大・縮小モード処理では、まず、元画像データＧＧと複数のレーベル枠画像データとの合成を行う（Ｓ３０）。例えば、図１３に示すように、画像データＧＧ上には、ステップＳ７において、元画像データＧＧ上の位置が決定されたレーベル枠画像データＷＧ１と、そのレーベル枠画像データＷＧ１の位置を基準として、レーベル枠画像データメモリ８２ａに記憶されており、同形状で異なる所定の大きさの複数のレーベル枠画像データＷＧ２とが同じ中心位置に合成される。本実施形態においては、レーベル枠画像データＷＧ１の内側に３つ、外側に１つのレーベル枠画像データＷＧ２が合成されるように設定されている。尚、このレーベル枠画像データＷＧ１と複数のレーベル枠画像データＷＧ２とを合わせて複数のレーベル枠画像データＷＧ３とする。また、本実施形態においては、レーベル枠画像データＷＧ１を実線、複数のレーベル枠画像データＷＧ２を点線として、異なる種類の枠として合成される。これによりユーザによってステップＳ７で決定されたお試し記録範囲であるレーベル枠画像Ｇ１と、ステップＳ３０において合成された他のお試し記録範囲である複数のレーベル枠画像ＷＧ２との見分けがつく。ステップＳ３０は、本発明の合成部の一例である。
【００６６】
次に、ステップＳ３０において合成された複数のレーベル枠画像データＷＧ３にそれぞれ対応して、番号画像データメモリ８２ｂに記憶されている番号画像データＢが元画像データＧＧ上に合成される（Ｓ３１）。本実施形態においては、合成された複数のレーベル枠画像データＷＧ３は５個であるので、内側のレーベル枠画像データから順に若い番号（「１」〜「５」）が合成される。
【００６７】
ステップＳ３０及びＳ３１において合成された合成画像データＭＧ１を合成画像データメモリ８３ｃに記憶する（Ｓ３２）。合成画像データＭＧ１を表示部４２に表示し（Ｓ３３）、この合成画像データＭＧ１を記録するか否かを判断する（Ｓ３４）。「記録ＯＫ」でない場合には（Ｓ３４：ＮＯ）、ステップＳ７に戻り、「記録ＯＫ」の入力があった場合には（Ｓ３４：ＹＥＳ）、図１５（ｂ）に示すように、用紙Ｐにこの合成画像データＭＧ１が記録される（Ｓ３５）。そして、拡大・縮小モード処理を終了する。
【００６８】
（位置ずらしモード処理）
画像記録装置１０の位置ずらしモード処理（図５のステップＳ１３）の詳細について、図７を参照して説明する。
【００６９】
この位置ずらしモード処理では、まず、元画像データＧＧと複数のレーベル枠画像データＷＧとの合成を行う（Ｓ４０）。例えば、図１４に示すように、画像データＧＧ上には、ステップＳ７において、元画像データＧＧ上の位置が決定されたレーベル枠画像データＷＧ１と、そのレーベル枠画像データＷＧ１の位置を基準として、レーベル枠画像データメモリ８２ａに記憶されており、同形状で同じ大きさの複数のレーベル枠画像データＷＧ４とが異なる中心位置に合成される。本実施形態においては、レーベル枠画像データＷＧ１の中心位置から上下左右にそれぞれ所定距離ずれた計４つのレーベル枠画像データＷＧ４が合成されるように設定されている。本実施形態においては、上記所定距離は１０ｍｍに設定されている。尚、このレーベル枠画像データＷＧ１と複数のレーベル枠画像データＷＧ４とを合わせて複数のレーベル枠画像データＷＧ５とする。また、レーベル枠画像データＷＧ１を実線、複数のレーベル枠画像データＷＧ４を点線として、異なる種類の枠として合成される。これによりユーザによってステップＳ７で決定されたお試し記録範囲であるレーベル枠画像Ｇ１と、ステップＳ４０において合成された他のお試し記録範囲である複数のレーベル枠画像ＷＧ４との見分けがつく。テップＳ３０は、本発明の合成部の一例である。
【００７０】
次に、ステップＳ４０において合成された複数のレーベル枠画像データＷＧ５にそれぞれ対応して、番号画像データメモリ８２ｂに記憶されている番号画像データＢが元画像データＧＧ上に合成される（Ｓ４１）。本実施形態においては、合成された複数のレーベル枠画像ＷＧは５個であるので、基準となるレーベル枠画像データＷＧ１に「１」を合成して、上下左右の順に若い番号（「２」〜「５」）が合成される。
【００７１】
ステップＳ４０及びＳ４１において合成された合成画像データＭＧ２を合成画像データメモリ８３ｃに記憶する（Ｓ４２）。合成画像データＭＧ２を表示部４２に表示し（Ｓ４３）、この合成画像データＭＧ２を記録するか否かを判断する（Ｓ４４）。「記録ＯＫ」でない場合には（Ｓ４４：ＮＯ）、ステップＳ７に戻り、「記録ＯＫ」の入力があった場合には（Ｓ４４：ＹＥＳ）、図１５（ｃ）に示すように、用紙Ｐにこの合成画像データＭＧ２記録される（Ｓ４５）。そして、位置ずらしモード処理を終了する。
【００７２】
（レーベル記録処理）
画像記録装置１０のレーベル記録処理（図５のステップＳ１５）の詳細について、図８を参照して説明する。
【００７３】
このレーベル記録処理では、まず、ステップＳ９において選択されたレーベル記録モードが「通常モード」であったか否かを判断する（Ｓ５０）。「通常モード」であった場合は（Ｓ５０：ＹＥＳ）、ステップＳ５５に進み、レーベルトレイＴＲの挿入及びレーベルトレイＴＲに記録ディスクＤが載置されているか判断する（Ｓ５５）。レーベルトレイＴＲの挿入及び記録ディスクＤの載置がされていなければ（Ｓ５５：ＮＯ）、レーベルトレイＴＲの挿入及び記録ディスクＤの載置をするようにユーザに促し、レーベルトレイの挿入及び記録ディスクＤの載置がされるまで待機する。レーベルトレイの挿入及び記録ディスクＤの載置がされていれば（Ｓ５５：ＹＥＳ）、記録ディスクＤのレーベル面にレーベル画像データメモリ８３ｂに記憶されているレーベル画像データＲＧを記録する（Ｓ５６）。そして、本レーベル記録処理を終了する。
【００７４】
ステップＳ５０において、「通常モード」でなかった場合は（Ｓ５０：ＮＯ）、「拡大・縮小モード」あるいは「位置ずらしモード」であるので、図１５（ｂ）或いは図１５（ｃ）に示すように、それぞれのモードによって用紙Ｐに記録された合成画像から記録する範囲に対応する番号（「１」〜「５」）が操作キー部４１を介して入力される（Ｓ５１）。合成画像データメモリ８３ｃに記憶されている合成画像データから、ステップＳ５１において入力された範囲に対応する元画像データＧＧ上の画像範囲のトリミング処理が行われる（Ｓ５２）。本実施形態においては、指定された番号が図１５（ｂ）において「４」、図１５（ｃ）において「１」であるとする。この番号はレーベル枠画像データＷＧ１に対応する番号なので、トリミング処理によって切り取られた範囲から、図１１レーベル画像データＲＧが生成される（Ｓ５３）。生成されたレーベル画像データＲＧがレーベル画像データメモリ８３ｂに記憶される（Ｓ５４）。尚、ステップＳ５１において、指定された番号が上記と異なる場合は、その番号に対応する範囲がトリミング処理されレーベル画像データが生成される。そして、上述したように、ステップＳ５５以降の処理に進み、本レーベル記録処理を終了する。
【００７５】
＜変形例＞
本実施形態では、メイン処理のプログラムを搭載した画像記録装置１０について説明したが、例えば、このメイン処理のプログラムをパーソナルコンピュータ（ＰＣ）に搭載し、ＰＣの表示部上で元画像データとレーベル枠画像データとを合成し、合成画像データを生成させ、その合成画像データを印刷機能を有する印刷装置によって用紙に印刷させる構成としても良い。したがって、変形例については、上記実施形態とは構成の異なる、印刷装置１００に接続されているＰＣ９０の電気的構成とメイン処理とについてのみ説明する。
【００７６】
以下の説明において、上記実施形態と同様の構成については、同一の符号を使って説明する。
【００７７】
図１６に示すように、ＰＣ９０は、演算装置であるＣＰＵ９１、各種のプログラムやデータなどを記憶したＲＯＭ９２、一時的にプログラムやデータなどを記憶するＲＡＭ９３、ハードディスクドライブ（以下「ＨＤＤ」と称す）９４、ユーザの指示を入力するための入力装置９５（キーボードやマウス等）、各種処理内容や入力されたデータなどを表示するモニタ装置９６（ＣＲＴディスプレイや液晶ディスプレイ）、及び、印刷装置１００との間で各種のデータの送受信を行うインターフェース９７とを主に有している。
【００７８】
ＣＰＵ９１、ＲＯＭ９２、ＲＡＭ９３、及び、ＨＤＤ９４は、バス９８を介して互いに接続されている。入力装置９５、モニタ装置９６、インターフェース９７、及び、バス９８は、ＡＳＩＣ９９を介して互いに接続されている。
【００７９】
ＨＤＤ９４には、印刷装置１００に印刷データの出力などを指示するプリンタドライバ９４ａ、記録ディスクのサイズに合わせた円形のレーベル枠画像データが格納したレーベル枠画像データエリア９４ｂ、番号画像データを格納した番号画像データエリア９４ｃ、レーベル画像を抽出するための画像データを記憶する元画像データエリア９４ｄ、記録ディスクＤのレーベル面の記録において、印刷装置１００に出力される円形のレーベル画像データＲＧを記憶するレーベル画像データエリア９４ｅ、及び、お試し記録において、印刷装置１００に出力される合成画像データを記憶する合成画像データエリア９４ｆが設けられている。レーベル枠画像データエリア９４ｂは、本発明の第２記憶手段の一例である。元画像データエリア９４ｄは、本発明の第１記憶手段の一例である。
【００８０】
プリンタドライバ９４ａは、ＰＣ９０上で動作する文書作成ソフトや画像作成ソフトなどにより印刷が指示された場合に起動され、印刷装置１００の印刷方法を設定可能な表示画面を表示したり、各作成ソフトで作成された印刷データを印刷装置１００に対応する印刷データに変換してレーベル画像データエリア９４ｅや合成画像データエリア９４ｆに記憶したり、その変換した画像データを印刷装置１００に出力する指示を行うものである。
【００８１】
また、前述した、メイン処理（図４）、通常モード処理（図５）、複数拡大・縮小モード処理（図６）、複数位置ずらしモード処理（図７）、及び、レーベル記録処理（図８）の画像記録機能以外は、このプリンタドライバ９４ａに格納されている。すなわち、変形例において、ＰＣ１０では、メイン処理（図４）においては、ステップＳ１〜Ｓ１６を行う。通常モード処理（図５）においては、ステップＳ２０〜Ｓ２４までを行ってレーベル画像データＲＧを生成し、印刷装置１００にレーベル画像データＲＧを出力し、ステップＳ２５の画像記録を行わせる。複数拡大・縮小モード処理（図６）においては、ステップＳ３０〜Ｓ３４までを行って合成画像データＭＧ１を生成し、印刷装置１００に合成画像データＭＧ１を出力し、ステップＳ３５の画像記録を行わせる。複数位置ずらしモード処理（図７）においては、ステップＳ４０〜Ｓ４４までを行って合成画像データＭＧ２を生成し、印刷装置１００に合成画像データＭＧ２を出力し、ステップＳ４５の画像記録を行わせる。レーベル記録処理（図８）においては、ステップＳ５０〜Ｓ５４までを行ってレーベル画像データＲＧを生成し、印刷装置１００にレーベル画像データＲＧを出力し、ステップＳ５５のレーベルトレイＴＲの挿入及びレーベルトレイＴＲに記録ディスクＤの載置のチェックと、ステップＳ５６の画像記録を行わせる。
【００８２】
これにより、ＰＣ９０のお試し記録処理により生成された合成画像データを印刷装置１００に出力し、印刷装置１００によって記録用紙Ｐに記録させることで、１度のお試し記録で複数の印刷範囲を確認できると共に印刷装置１００の着色剤の使用量も抑えることができる。
【００８３】
本実施形態に基づき本発明を説明したが、本発明は上述した実施形態に何ら限定されるものではなく、本発明の趣旨を逸脱しない範囲内で種々の改良変更が可能であることは容易に推察できるものである。
【００８４】
実施形態では、画像記録装置１０をインクジェットプリンタで構成するものとしたが、レーザープリンタで構成するものとしても良い。
【００８５】
ステップＳ３０及びステップＳ４０において、元画像データＧＧ上に合成される複数のレーベル枠画像ＷＧ３、ＷＧ５は、それぞれの色を異ならせて記録してもよい。例えば、ステップＳ３０において、レーベル枠画像データＷＧ１を黒、複数のレーベル枠画像データＷＧ２を内側から順に緑色、赤色、青色、黄色として合成する。このようにすれば、複数のレーベル枠画像ＷＧ３、ＷＧ５のそれぞれに対応する範囲の見分けが付きやすい。
【００８６】
また、合成画像データＭＧ１及びＭＧ２をドラフト印刷モードで記録してもよい。例えば、ステップＳ３４及びＳ４４において、表示部４２にドラフト印刷モードを選択できる旨を表示しておき、選択されることで、通常モードで記録されるよりも印刷品質の低い合成画像データＭＧ１及びＭＧ２が用紙に記録される。このようにすれば、お試し記録時に使用する着色剤の量を少なくすることができる。
【００８７】
本実施形態において、ユーザが表示部に表示された元画像データ上で、レーベル枠画像データを操作してお試し記録を行う範囲の位置を決定し、複数のレーベル枠画像データを合成したが、これに限定されるものではない。例えば、ユーザの指定なしに、レーベル画像として使用する元画像データの中心を基準として、自動的に複数のレーベル枠画像データを合成してもよい。このようにすれば、スキャナ等で読み取った画像を元画像データとして使用すると、装置に表示部が配置されていなくても、このお試し記録機能を実現できる。
【００８８】
本実施形態において、元画像データＧＧ上に合成される複数のレーベル枠画像ＷＧの数は５個であったが、これに限定されるものではない。例えば、ユーザによって数を設定できるようにしてもよく、３個や７個等に適宜変更できる。
【００８９】
本実施形態においては、位置ずらしモードで、レーベル枠画像データＷＧ１の中心位置から上下左右にそれぞれ所定距離である１０ｍｍずれた計４つのレーベル枠画像データＷＧ４が合成されたが、これに限定されるものではない。例えば、ユーザによって距離を調整することができ、直径５ｍｍ、２０ｍｍ等のサイズも設定できる。
【００９０】
本実施形態において、レーベル記録モード時に、合成画像に記録された番号（「１」〜「５」）を指定することで、その番号に対応する範囲の画像がレーベル面に記録されたが、これに限定されるものではない。例えば、表示部に合成画像データを表示させ、操作キー部４１の操作により、画像を指定できるようにしてもよい。また、指定したレーベル枠画像データＷＧ１とのズレ量を操作キー部４１を介して入力することにより、他のレーベル枠画像データを指定できるようにしてもよい。
【００９１】
本実施形態では、お試し記録モードにおいて、元画像データＧＧ上に合成されるレーベル枠画像データのサイズを直径１２０ｍｍとしたが、これに限定されるものではない。例えば、ユーザによってサイズを調整することができ、直径１１６ｍｍ、１１８ｍｍ等のサイズも設定できる。また、直径だけでなく、上述した中心部の円形の穴のサイズも調節し設定できる。
【符号の説明】
【００９２】
１０    画像記録装置
２０    プリンタ部
３０    スキャナ部
４０    操作パネル部
４１    操作キー部
４２    表示部
５０    スロット部
８１    ＣＰＵ
８２ａ  レーベル枠画像データメモリ（第２記憶部）
８３ａ  元画像データメモリ（第１記憶部）
９４ｂ  レーベル枠画像データエリア（第２記憶手段）
９４ｄ  元画像データエリア（第１記憶手段）
Ｄ      記録ディスク
ＧＧ    元画像データ
ＷＧ    レーベル枠画像データ
ＭＧ    合成画像データ
【図１】
2010288124.tif 000003
【図２】
2010288124.tif 000004
【図３】
2010288124.tif 000005
【図４】
2010288124.tif 000006
【図５】
2010288124.tif 000007
【図６】
2010288124.tif 000008
【図７】
2010288124.tif 000009
【図８】
2010288124.tif 000010
【図１２】
2010288124.tif 000011
【図１６】
2010288124.tif 000012
【図９】
2010288124.tif 000013
【図１０】
2010288124.tif 000014
【図１１】
2010288124.tif 000015
【図１３】
2010288124.tif 000016
【図１４】
2010288124.tif 000017
【図１５】
2010288124.tif 000018